Podtech/llm-jp-corpus-v4-ja_patent huggingface dataset:
(57)【要約】      （修正有）【課題】ゴルフプレイ中、ティを取り出すときと、グリーン上にボールがオンしたときにマーカーを取り出すときに、従来、スラックスのポケットから手さぐりで取り出していた。【解決手段】ベルトに通した小型バッグ１の上部に、開閉自在のファスナー２を施し、その内部にティを入れる部分と、バッグの表側の端に鉄製プレート３を貼り、そのプレートにマグネットマーカーを付着させておくことで、どちらも簡単に手に取ることを実現する。【選択図】図７
0003132255.tif 000002
【実用新案登録請求の範囲】
【請求項１】
上部に開閉自在なファスナーを施し、表側の端に鉄製プレートを貼り、裏側にベルト通しを施した小型バック。
【請求項２】
下部分に、隆起した半円形のリングを加工した鉄製プレート。
【考案の詳細な説明】
【技術分野】
【０００１】
本考案は、ゴルファーがプレイするとき、スラックスのベルトに通す小型バッグで、内部にティを収納し、そのバッグの表側の端に、鉄製プレートを縦に貼り、マグネットを施した円型のマーカーを鉄製プレートに付着させたものである。
【背景技術】
【０００２】
従来、プレイするとき、スラックスのポケットに入れたティやマーカーを手さぐりで取り出していた。そのため、いくぶん手間取っていた。
【考案の開示】
【考案が解決しようとする課題】
【０００３】
本考案は、この問題を解決するため、ゴルファーがプレイ中に、ティやマーカーをスラックスのポケットに入れずに、皮革等を使用した小型バックの裏側に施したベルト通しを利用して、スラックスのベルトに通し、そのバッグの内部にティ等を収納し、そのバッグの表側の端に鉄製プレートを縦に貼り、そのプレートに、円型のマグネットマーカーを付着させることで、ポケットがかさばらずに、使用目的に応じて簡単にバッグから取り出せる。
【課題を解決するための手段】
【０００４】
本考案は、バッグの上部に、開閉自在のファスナーを横に施し、内部にティ等を入れる収納部分と、そのバッグの裏側にベルト通しを施し、表側の端に鉄製プレートを縦に貼り付けたものである。鉄製プレートの下部分に半円形のリングを隆起させることで、そのプレートに付着させるマグネットマーカーの脱落を防止する役目を果す。そして、その鉄製プレートに、マグネットを施した円型のマーカーを付着させるものである。
【０００５】
マグネットマーカーを付着させた小型バッグをゴルファーがスラックスのベルトに着用ることで、プレイをするとき、従来のように、スラックスのポケットから手さぐりで取り出さずに簡単にこのベルトバッグから取り出せる。
【考案の効果】
【０００６】
以上のように、本考案は、ベルト通しを付けた小型のバッグの表側の端に、マグネットマーカーの脱落を防止する半円形のリングを下方部分に隆起させた鉄製プレートを貼り、そのプレートに、マグネットを施した円形のマーカーを付着させることをセットとする。そしてバッグの内部にティを入れておけば、ティショットするときは、上部のファスナーを開いてティを取り出り出せるし、ボールがグリーン上にオンしたときは、バッグの表側の端のプレートに付着しているマグネットマーカーを手ではずして使用し、ボールを手に取ることが出来るので、従来、スラックスのポケットの中から手さぐりで取り出すより便利である。
【考案を実施するための最良の形態】
【０００７】
本考案について、実施の形態について、図面に従って説明する。
【０００８】
図1に示すものは、マグネットマーカーを付着させるため、鉄製プレートを貼り付けた、ティを入れるベルトバッグの表側である。尚、鉄製プレートの下部には、マグネットマーカーの脱落を防ぐため、隆起した、半円形のリングを一体として施す。
【０００９】
図２に示すものは、図１に示すものの裏側で、ベルト通しを施す。
【００１０】
図３に示すものは、ベルトバッグの表側の端に貼りつける、マグネットマーカーを付着させる鉄製プレートである。
【００１１】
図４に示すものは、鉄製プレートの側面図で、下部を半円形に隆起させ、マグネットマーカーの脱落を防止するものである。
【００１２】
図５に示すものは、鉄製プレートに付着させる、マグネットマーカーの表側である。
【００１３】
図６に示すものは、マグネットを中央部分に施した、マグネットマーカーの裏側である。
【００１４】
図７に示すものは、ティを入れるベルトバッグの表側の端に貼りつけた鉄製プレートにマグネットマーカーを付着させた、ものである。
【図面の簡単な説明】
【００１５】
【図１】ベルトバックの表側の端に鉄製プレートを貼った斜視図である。
【図２】ベルトバックの裏側で、ベルト通しを施した正面図である。
【図３】ベルトバックの表側の端に貼る鉄製プレートの正面図である。
【図４】下部を半円形のリングに隆起させた鉄製プレートの側面図である。
【図５】マグネットマーカーの表側の平面図である。
【図６】マグネットマーカーの裏側の中央にマグネットを施してある平面図である。
【図７】ベルトバックの表側で、鉄製プレートにマグネットマーカーを付着させた正面図である。
【符号の説明】
【００１６】
１  ベルトバッグ
２  開閉ファスナー
３  鉄製プレート
４  マグネットマーカーのすべり止め
５  ベルト通し
６  マグネットマーカーの表側
７  マグネットマーカーの裏側で、マグネットを施した部分
【図１】
0003132255.tif 000003
【図２】
0003132255.tif 000004
【図３】
0003132255.tif 000005
【図４】
0003132255.tif 000006
【図５】
0003132255.tif 000007
【図６】
0003132255.tif 000008
【図７】
0003132255.tif 000009
【手続補正書】
【提出日】平成19年1月23日(2007.1.23)
【手続補正１】
【補正対象書類名】図面
【補正対象項目名】図２
【補正方法】変更
【補正の内容】
【図２】
0003132255.tif 000010
【手続補正２】
【補正対象書類名】図面
【補正対象項目名】図７
【補正方法】変更
【補正の内容】
【図７】
0003132255.tif 000011
【手続補正書】
【提出日】平成19年3月26日(2007.3.26)
【手続補正１】
【補正対象書類名】実用新案登録請求の範囲
【補正対象項目名】全文
【補正方法】変更
【補正の内容】
【実用新案登録請求の範囲】
【請求項１】
上部に開閉自在なファスナーを施し、表側の端に鉄製プレートを貼り、裏側にベルト通しを施した小型バッグ。
【請求項２】
上記鉄製プレートが、下部に隆起させた半円形のリングを加工したものである請求項１記載の小型バッグ。
(57)【要約】【課題】  現在の包丁は、一枚刃であり、不変の観念として固定されている。しかし、一時に多数の切り口の持てる包丁があれば、調理の能率は数段上がる。本考案は、一時に３〜５枚の刃により、能率良く食材を切ることが出来る包丁を提供する。【解決手段】  金属又は木材の握り部に、包丁支持棒が３〜５本固定される。その包丁支持棒の先に包丁がそれぞれ一つずつ付けられる。即ち、全体で３〜５枚の間隔を持った刃となる。握り部が金属の時は、溶接、材木の時はネジ止め等しっかり固定し、刃の幅の開閉が無い様にする。この様にして、調理の高能率化の図れる複数刃の包丁を実現する。【選択図】図１
0003132295.tif 000002
【実用新案登録請求の範囲】
【請求項１】
握り部から、３〜５本の包丁支持棒が出て、そのそれぞれの包丁支持棒の先に包丁が各々一つづつ付いた複数刃の包丁。
【考案の詳細な説明】
【技術分野】
【０００１】  本考案は、複数刃の包丁に関する。
【背景技術】
【０００２】  包丁は、普通一枚刃であるが、一時に多数の切り口で食品を切れる包丁があれば便利である。
本考案は、一つの包丁に３〜５枚の刃を有する包丁を提供する。
【特許文献１】まだこの様な包丁は出願、登録されていない。
【非特許文献１】各種の文献等を見たが、これに相当するものはない。
【考案の開示】
【考案が解決しようとする課題】
【０００３】  本考案は、一時に多数の食品を切ることが出来るものであり、調理の能率化を図る。
【課題を解決するための手段】
【０００４】  本考案は、握り部から、３〜５本の包丁支持棒が出て、そのそれぞれの包丁支持棒の先に包丁が各々一つづつ付いた複数刃の包丁に関する。
【考案の効果】
【０００５】  一時に多数の切り口で食品を切れるので、調理の能率が上がる。これを用いると調理の分野で高能率化が図れる。
【考案を実施するための最良の形態】
【０００６】  金属か木材の握り部１に包丁支持棒２が数個付く。３本から５本である。その包丁支持棒に刃部３が３枚から５枚各々しっかり固定される。その接合部４は、ネジ留めか、溶接で、刃が横開きしないように、しっかり固定する。
刃の枚数は、３枚から５枚で、刃と刃のそれぞれの幅は７〜１０ｍｍ、刃の縦の長さは、４０〜５０ｍｍで、包丁の長さは、１５０ｍｍ〜１６ｍｍが好ましく、普通の包丁に似た長さである。
刃のそれぞれに鋼加工を施し、良く切れるようにする。
包丁支持棒２は、刃の先が広がらぬよう、即ち、開閉しないよう、握り部１が、金属なら、それぞれ溶接等し、木材なら、それぞれ埋め込むか挟み込みにして、止め金で動かないようにし、それぞれ普通の包丁通りの形にする。又、ネジ止めにすれば、使用後の汚れを落とし易く、切断する食品の幅も取り易い。
【産業上の利用可能性】
【０００７】  本考案は、一時に多数の切り口が食品に付けられ、一時に多数切れるので、調理の能率は格段に上がり、広く、一般に使用されるものと思う。
【図面の簡単な説明】
【０００８】
【図１】  本考案の斜視図である。
【符号の説明】
１  握り部
２  包丁支持棒
３  刃部
４  接合部
【図１】
0003132295.tif 000003
(57)【要約】【課題】  ネクタイ装着時ネクタイの結び目背後に永久磁石の小片を位置を設けたワンタッチ磁気ネクタイを提供する。【解決手段】  ネクタイの結び目、背後、部分に永久磁石の小片を縫着、及び接着を設け、磁性体により、相吸着を設けた、ワンタッチ磁気ネクタイ。【選択図】図１
0003132296.tif 000002
【実用新案登録請求の範囲】
【請求項１】
ネクタイ結び目、背後において、磁気吸着部を設け、磁着可能な部材により構成された事を特徴とする、ワンタッチ磁気ネクタイ。
【請求項２】
実用新案登録請求の範囲第１項記載のものにおいて、ネクタイ結び目、背後に設けた、磁気吸着部は永久磁石に係る磁性体であり、永久磁石と、ビニール樹脂と一体化なされ永久磁石に係る磁性体と相吸着出来るように設けた、ワンタッチ磁気ネクタイ。
【考案の詳細な説明】
【技術分野】
【０００１】  本考案はネクタイ結び目、背後において磁気吸着を設け装着、脱着ワンタッチで出来るようにした、上記、記載のワンタッチ磁気ネクタイである。
【背景技術】
【０００２】  ネクタイは種々考案されているが襟回りひらき全周にネクタイ挿入して装着をしたりする為、時間を要し又金具部品の取り付けなど考案されているが襟部にはみ出したり、装着時に結び目が片寄り、見苦しい欠点もある。
【考案の開示】
【考案が解決しようとする課題】
【０００３】  本考案は上記、記載の欠点を解消したもので、ネクタイ装着、脱着は時間を要しないで簡単に着、脱出来、ネクタイ結び目背後において、磁性体により吸着部を設け、ワンタッチ磁気ネクタイを提供するものである。
【課題を解決するための手段】
【０００４】  本考案はネクタイ結び目背後に磁気吸着を設け、磁性体により、永久磁石とビニール樹脂で一体化構成された、ワンタッチ磁気ネクタイに関するものである、
ワンタッチ磁気ネクタイ装着においては、ネクタイ結び目背後に磁気吸着部を設けてある為、ワイシャツ中央襟部に、正しく挿入され、ネクタイ装着時、結び目のを位置ずれや、ゆがみ、など防止出来、これにより、ネクタイを常に正しい位置に保たれ、又装着、脱着は素早く簡単に出来る、ワンタッチ磁気ネクタイに関するものである。
【考案の効果】
【０００５】  本考案は以上の記載の通り、ネクタイ結び目、背後に、永久磁石を位置する事により、簡単に装着、脱着する事が出来、ネクタイ首部にしめつける事なく装着する事が出来る実用効果も期待出来る。
【考案を実施するための最良の形態】
【０００６】  第１図は本考案に示す実施例に係るワンタッチ磁気ネクタイの装着に係る正面図である、第２図は本考案のワンタッチ磁気ネクタイの永久磁石による実施された、装着時のネクタイ結び目背後の図である、６、８は永久磁石の小片を設けた図であり、この実施例では永久磁石は円形状であり永久磁石には腐食防止のフィルムで包まれている、
永久磁石の小片には、ネクタイと同友布などで包まれ、接着及び縫着など適宜の手段で固着される事によりネクタイの結び目、背後の違和感を与えず、これによりネクタイ装着において、シャツに正しく挿入され、位置づれ、ゆがみなど、なく常に正しい位置に維持できるものである。
【図面の簡単な説明】
【０００７】
【図１】  本考案にかかわるワンタッチ磁気ネクタイの一例を示す正面図である。
【図２】  本考案にかかわるワンタッチ磁気ネクタイの一例を示す斜視図である。
【図３】  本考案にかかわるワンタッチ磁気ネクタイの一例の手順を示す説明図である。
【図４】  本考案にかかわるワンタッチ磁気ネクタイの一例の手順を示す説明図である。
【符号の説明】
【０００８】  １・・・ネクタイ
２・・・結び目
３・・・襟
４・・・ビニール樹脂
５・・・ビニール樹脂
６・・・永久磁石
７・・・背後の結び目
８・・・永久磁石
【図１】
0003132296.tif 000003
【図２】
0003132296.tif 000004
【図３】
0003132296.tif 000005
【図４】
0003132296.tif 000006
(57)【要約】【課題】シューズインシューズの提供。【解決手段】シューズインシューズは、防水通気布、もしくは通気網布で作られた靴体に底部が軟性のゴム底で構成された靴下カバー式内靴を結合する。外履きのサンダルにシューズインシューズを合わせる方式、もしくは単独の外履き、つまり軟性靴、もしくはルームシューズとする。【選択図】図１
0003132297.tif 000002
【実用新案登録請求の範囲】
【請求項１】
防水通気布、もしくは通気網布で作られた靴体は底部が軟性のゴム底で構成された靴下カバー式内靴を結合することを特徴とするシューズインシューズ。
【請求項２】
前記靴下カバー式内靴は、外履きのサンダルがシューズインシューズの履き方を形成することを特徴とする請求項１記載のシューズインシューズ。
【請求項３】
前記靴下カバー式内靴は、踝の周辺縁にゴム紐を設置して踝の前後位置には各々織り布紐を対応させることを特徴とする請求項１記載のシューズインシューズ。
【考案の詳細な説明】
【技術分野】
【０００１】
本考案は、シューズインシューズに関するもので、防水通気布、もしくは通気網布で作られた靴体に、底部が軟性の滑り止めゴム底で構成された靴下カバー式内靴を結合するものである。
【背景技術】
【０００２】
靴は一般に歩く時の快適性、安全性及び健康を重視する。原則的に足を覆う靴は足部の保護機能がサンダルより高いが、足に汗をかきやすい人にとって、サンダルは密閉された空間で発生する高温を改善する。
【０００３】
解決しようとする問題点は、サンダルを履いた場合、足が外に出ているのは、フォーマルの場面では不適当である。そのためサンダルはレジャー靴の一種とみなされる。そのため、使用者は靴下を履いて上述の足が露出するのを改善してもやはりフォーマルにはならないため、サンダルを履くことは、大きな欠点となる。この他、靴下は足にかく汗や黴菌の感染の問題を改善せず、足底部の滑り防止効果が下がり、滑って転倒することもある点である。
【考案の開示】
【考案が解決しようとする課題】
【０００４】
本考案は、防水通気布、もしくは通気網布で作られた靴体に底部が軟性の滑り止めゴム底で構成された靴下カバー式内靴を結合する。外履きのサンダルにシューズインシューズを合わせる方式、もしくは単独の外履き、つまり軟性靴、もしくはルームシューズとすることを最も主要な特徴とする。
【０００５】
本考案のシューズインシューズは、サンダルの通気性に優れた点を残しつつ、靴として使用するという利点がある。
【０００６】
上述の目的のため、本考案のシューズインシューズは、防水通気布、もしくは通気網布で作られた靴体に底部が軟性の滑り止めゴム底で構成された靴下カバー式内靴を結合し、サンダルを履いた後、外履きのサンダルと共にシューズインシューズ形式を形成するか、もしくは単独で履いて軟性靴もしくはルームシューズとする。
【課題を解決するための手段】
【０００７】
請求項１の考案は、防水通気布、もしくは通気網布で作られた靴体は底部が軟性の滑り止めゴム底で構成された靴下カバー式内靴を結合することを特徴とするシューズインシューズとしている。
請求項２の考案は、前記靴下カバー式内靴は、外履きのサンダルがシューズインシューズの履き方を形成することを特徴とする請求項１記載のシューズインシューズとしている。
請求項３の考案は、前記靴下カバー式内靴は、踝の周辺縁にゴム紐を設置して踝の前後位置には各々織布紐を対応させることを特徴とする請求項１記載のシューズインシューズとしている。
【考案の効果】
【０００８】
シューズインシューズは、防水通気布、もしくは通気網布で作られた靴体に底部が軟性の滑り止めゴム底で構成された靴下カバー式内靴を結合する。外履きのサンダルにシューズインシューズを合わせる方式、もしくは単独の外履き、つまり軟性靴、もしくはルームシューズとする。
【考案を実施するための最良の形態】
【０００９】
図１は、本考案のシューズインシューズの第一実施例の使用状態概略図で、図２は本考案の第一実施例の使用状態分解図である。
図に示すとおり、防水通気布製の靴体は、底部が軟性のゴム底１３で構成された靴下カバー式内靴１０を結合し、踝周辺縁にはゴム紐１１を設置し、踝の前後位置には織り布紐１２を設置する。外履きのサンダル２０に合わせ、シューズインシューズの履き方、もしくは単独で外履きとして軟性靴もしくはルームシューズとなる。
【００１０】
防水通気布の靴体の通気性により、足部の汗に関する問題は有効に解決され、同時に防水特性は汚水に依る蒸れ、黴菌等の衛生問題を改善する。
【００１１】
同じく図３及び図４に示すのは、本考案のシューズインシューズの第二実施例の使用状態概略図及び使用状態分解図である。そのうち、通気性を具えた通気性網布で作られた靴体は底部が軟性のゴム底１３で構成された靴下カバー式内靴１０を結合し、足部の通風効果をより高め、足の汗及び黴菌感染の問題を有効に改善する。
【図面の簡単な説明】
【００１２】
【図１】本考案の第一実施例の使用状態概略図である。
【図２】本考案の第一実施例の使用状態分解図である。
【図３】本考案の第二実施例の使用状態概略図である。
【図４】本考案の第二実施例の使用状態分解図である。
【符号の説明】
【００１３】
１０  靴下カバー式内靴
１１  ゴム紐
１２  織り布紐
１３  ゴム底
２０  サンダル
【図１】
0003132297.tif 000003
【図２】
0003132297.tif 000004
【図３】
0003132297.tif 000005
【図４】
0003132297.tif 000006
【手続補正書】
【提出日】平成19年3月28日(2007.3.28)
【手続補正１】
【補正対象書類名】実用新案登録請求の範囲
【補正対象項目名】全文
【補正方法】変更
【補正の内容】
【実用新案登録請求の範囲】
【請求項１】
防水通気布、もしくは通気網布で作られた靴体は底部が軟性の滑り止めゴム底で構成された靴下カバー式内靴を結合することを特徴とするシューズインシューズ。
【請求項２】
前記靴下カバー式内靴は、外履きのサンダルと併せてシューズインシューズの履き方を形成することを特徴とする請求項１記載のシューズインシューズ。
【請求項３】
前記靴下カバー式内靴は、踝の周縁に相対する位置にゴム紐を設置して踝の前後位置に相対する位置には各々織布紐を設置することを特徴とする請求項１記載のシューズインシューズ。
【手続補正２】
【補正対象書類名】明細書
【補正対象項目名】０００７
【補正方法】変更
【補正の内容】
【０００７】
請求項１の考案は、防水通気布、もしくは通気網布で作られた靴体は底部が軟性の滑り止めゴム底で構成された靴下カバー式内靴を結合することを特徴とするシューズインシューズとしている。
請求項２の考案は、前記靴下カバー式内靴は、外履きのサンダルと併せてシューズインシューズの履き方を形成することを特徴とする請求項１記載のシューズインシューズとしている。
請求項３の考案は、前記靴下カバー式内靴は、踝の周縁に相対する位置にゴム紐を設置して踝の前後位置に相対する位置には各々織布紐を設置することを特徴とする請求項１記載のシューズインシューズとしている。
(57)【要約】【課題】軽い握りでタワシがしっかり保持でき、汚れの落ちにくい物や長い時間の洗浄でも、指や手の平が疲れにくく、使い勝手も良好で、握る指がやや不自由な方でも使うことができる保持バンド付き亀の子タワシを提供する。【解決手段】タワシ本体（１）側部の４箇所に取付けリング（３）を対角となる位置に、それぞれ鋼線（７）でブラシ束巻き線（６）に縛り付けるように装着し、ゴムチューブや帯状ゴムバンド等の伸縮性を有する保持バンド（４）を斜め状やクロス状に、あるいは自在の形状に取付けリングを通して連結し、所用の指を保持バンド（４）とタワシ本体（１）との間に挟み込めるようにしたことを特徴とする保持バンド付き亀の子タワシ【選択図】図１
0003132293.tif 000002
【実用新案登録請求の範囲】
【請求項１】
タワシ本体側部の４箇所に取付けリングを対角となる位置に、それぞれ鋼線でブラシ束巻き線に縛り付けるように装着し、ゴムチューブや帯状ゴムバンド等の伸縮性を有する保持バンドを自在の形状に、取付けリングを通して連結し、タワシ本体と保持バンドの間に、所用の指を挟み込めるように構成したことを特徴とする保持バンド付き亀の子タワシ
【考案の詳細な説明】
【技術分野】
【０００１】  本考案は、軽い握りでタワシが保持でき、汚れの落ちにくい物や長い時間の洗浄でも、指や手のひらが疲れにくく、使い勝手も良好で、握る指がやや不自由な方でも使うことができる保持バンド付き亀の子タワシに関するものである。
【背景技術】
【０００２】  従来、その形状から亀の子タワシと呼ばれ、バームまたは化繊ブラシ束を２本の針金に巻き止めし、これを楕円形に形成しただけの極めて単純な構成の洗浄用具であって、家庭用や業務用として昔から広く使われていた。
【考案の開示】
【考案が解決しようとする課題】
【０００３】  そのために、次のような問題点があった。
（イ）亀の子タワシを使って洗浄する際、タワシ本体を親指と他の４指の握る力で手の平    内に動かないようにしっかり保持し、汚れ物を堅いブラシ部でこすることで汚れを落    とすことから、汚れの程度、汚れ物質の素材、汚れ物の素材・形状等により異なるが    相応の強い握力を必要とし、特に汚れの落ちにくい物や長時間の洗浄では、大変手指    が疲れるものであった。ひどい場合には、手指が痛んだり、硬直したり、しびれ等が    生起することがあった。
（ロ）タワシ本体を握るに際、主に力を入れることになる、親指、人差し指、中指、ある    いは薬指が不自由な方は、手の平内にしっかり保持できずタワシ本体が動いてしまう    ことから、ブラシ部でのこすりが不十分で汚れをきれいに落とせなかったり、時間を    要したり、あるいは、全く使えないものであった。
本考案は以上の問題点を解決しようとするものである。
【課題を解決するための手段】
【０００４】  タワシ本体（１）側部の４箇所に取付けリング（３）を対角となる位置に、それぞれ鋼線（７）でブラシ束巻き線（６）に縛り付けるように装着し、ゴムチューブや帯状ゴムバンド等の伸縮性を有する保持バンド（４）を自在の形状に、取付けリング（３）を通して連結し、タワシ本体（１）と保持バンド（４）の間に、所用の指を挟み込めるように構成する。
【考案の効果】
【０００５】  以上により、所用の指を保持バンドとタワシ本体との間に挟み込むことで、タワシの形状に沿って弧状に連結された保持バンドの張力は、それぞれの箇所において保持バンド下面方向に垂直分力として作用し、指や手の平をタワシ本体にしっかり圧着・保持させる。その結果、タワシ本体の側面から親指と他の４指で保持しなければならなかった握力を大幅に減少させることとなった。その検証例として、汚れの程度の少ない物等の洗浄では、ほとんど握らなくてもよい程である。このことから、汚れの落ちにくい物の洗浄や長い時間の洗浄に際しても、手指の疲れ、手指の痛み、硬直あるいは、しびれ等を軽減できるとともに、使い勝手も良好である。また、握る指がやや不自由な方で思うように使えなかったのが上手に、全然使えなかった方もそれなりに使うことが可能となる。
【考案を実施するための最良の形態】
【０００６】  以下、本考案の実施の形態を図面により説明する。
図１は、本考案のタワシ本体の丸形形状部分を前方方向として、上半分をカットして構成を示す一部透視部分を含む断面図、図２は本考案の使用状態を示す斜視図である。
（イ）タワシ本体（１）側面の４箇所に取付けリング（３）を対角となる位置に、それぞ    れ鋼線（７）でブラシ束巻き線（６）に縛り付けるように装着する。
（ロ）保持バンド（４）を、これらの取付けリング（３）を通し、自在の形状に連結し、    タワシ本体（１）と保持バンド（４）の間に、所用の指を挟み込めるように構成する    。
（ハ）上記（ロ）の保持バンド（４）は、柔らかく伸縮性の良い、ゴムチューブや帯状ゴ    ムバンド等を用いる。
本考案は以上の構成からなり、本考案を使用するときは保持バンド（４）を斜め状やクロス状に、あるいは自在の形状に取付けリング（３）を通して連結し、所用の指を保持バンド（４）とタワシ本体（１）との間に挟み込め、タワシ本体（１）が確実に指、手の平に圧着・保持され、且つ、指が痛くないように保持バンド（４）を結ぶ際、長さを調整して適当な張力で使用する。尚、長期間使用し、タワシのブラシ部（５）が摩耗して短くなり使用できない状態となったら、反対面に保持バンド（４）を付け替えて使用する。
【図面の簡単な説明】
【０００７】
【図１】本考案のタワシ本体の丸形形状部分を前方方向として、タワシ本体の上半分をカットして構成を示す一部透視部分を含む断面図
【図２】本考案の使用状態を示す斜視図  （ａ）は、保持バンドを斜め状に連結し、左手の３指を挟んだ使用状態を示す斜視図  （ｂ）は、保持バンドをクロス状に連結し、右手の２指を挟んだ使用状態を示す斜視図
【符号の説明】
【０００８】  １    タワシ本体
２    綱
３    取付けリング
４    保持バンド
５    ブラシ部
６    ブラシ束巻き線
７    鋼線
【図１】
0003132293.tif 000003
【図２】
0003132293.tif 000004
(57)【要約】【課題】  自動罫引き盤の罫引針ホルダーに取り付け、厚紙の表面を前後左右の方向に動かして罫引き溝を引くに当たり、強く押し付けても紙を引っ掛けて破いたり、傷付けたりする事無く、滑らかに動く罫引玉芯を提供する。【解決手段】  全体の長さ５ｃｍ程直径１ｃｍ程の鉄筆状の軸で、先端部が１ｃｍ程細く尖らせてあり、その先端に直径２ｍｍ前後の鋼球を嵌める半球状の窪みを設け、そこに鋼球が嵌め込んであり、鋼球が窪みの中で自由に回動できるようにしてある罫引玉芯。【選択図】図１
0003132294.tif 000002
【実用新案登録請求の範囲】
【請求項１】
厚紙等に押し付けながら罫引きをするのに使用する道具で、全体の長さ５ｃｍ程、直径１ｃｍ程の金属製又は樹脂製の軸で、軸の先端部１ｃｍ程は金属製で先を細く尖らせ、その先端に直径２ｍｍ程の鋼球を嵌めるための窪みを設けて、その窪みに鋼球を嵌め込んであり、その鋼球が窪みの中で自由に回動することができるようになっていることを特徴とする罫引玉芯。
【請求項２】
鋼球を嵌めるための窪みの奥に潤滑油を通すための穴が穿ってありその穴は軸の内部にある油溜に連通している事を特徴とする請求項１記載の罫引玉芯。
【考案の詳細な説明】
【技術分野】
【０００１】  自動罫引き盤等に装着して、罫引き溝を作成するのに使用する罫引き用道具に関する。
【背景技術】
【０００２】  従来手動、自動に拘わらず、厚紙等に折り目をつけるために、押し付けて罫引きする鉄筆状の先端部の尖った道具・罫引針が使用されてきた。【０００３】  その先端部は紙を引っ掛けて破らないように、滑らかに紙の表面をすべって動く必要があったが、あまり先端を太くして丸くすると、くっきりした線が引けず、かといって尖らせ過ぎると紙を傷つけてしまう事があった。【０００４】  かつ自動罫引き盤に罫引針を取り付けて使用する場合は、罫引針を保持しているアームが前後左右の方向に動くので、罫引針は絶えず紙の表面に対して垂直に押し付けられるようにセットしなければならず、進行方向に対して傾けることはできなかった。強く押し付けると紙が傷つく恐れがあるので、あまり強く押し付けられなく、罫引き溝は浅いものとならざるを得なかった。また罫引のスピードも速くはできなかった。
【考案の開示】
【考案が解決しようとする課題】
【０００５】  自動罫引き盤の罫引針ホルダーに取り付け、厚紙の表面を前後左右の方向に動かして罫引き溝を引くに当たり、強く押し付けても紙を引っ掛けて破いたり、傷付けたりする事無く、滑らかに動く罫引針を提供する。
【課題を解決するための手段】
【０００６】  本考案は上記問題に鑑みてなされたものであり、強く押し付けても荷重に耐えているボールベアリングの転がる玉にヒントを得、外見上はボールペンに似た形状の、罫引玉芯を考案するに至った。【０００７】  長さ５ｃｍほどの鉄筆状の軸の細くなった先端に、直径２ｍｍ前後の鋼製の球が丁度嵌まる窪みを形成し、かつその窪みは内包した玉が楽に転がる程度の僅かな隙間のある半球状のもので、その球を嵌めて使用する罫引玉芯。【０００８】  その窪みの奥には、球の転がりを良くするための潤滑油が少しずつ供給されるよう、軸の中心に細い穴を穿ち、軸の内部にある小さな油溜に連通しており、そこから油が供給されるようにしておくと良い。【０００９】  鋼製の球の直径を異なったものにすることにより、異なった幅の罫引溝を得ることができる。
【考案の効果】
【００１０】    以上述べてきたように本考案の罫引玉芯を使用すれば、自動罫引き盤にセットして紙を傷つけることなく高速度で美しい罫引き溝を引くことができる。
【考案を実施するための最良の形態】
【００１１】  長さ５ｃｍ程、直径１ｃｍ程の先端部を細く尖らせた金属製の軸の先端に、後述する鋼球を嵌めるための窪みを設け、窪みの奥には潤滑油を供給するための細い穴が穿けてあり、その窪みに直径２ｍｍ程の鋼球を嵌め込んで、鋼球が自由に回転できるようにしてある罫引玉芯。
【実施例１】
【００１２】  本考案の罫引玉芯を図面に基づいて説明すると、図１には罫引玉芯の断面図ａとその部分拡大図ｂが示してあり、図２はその全体を示す斜視図である。全体の長さ５ｃｍ程、直径１ｃｍ程で先端部を１ｃｍ程細くしてある金属製の罫引玉芯先端部１の先端に、直径１．５ｍｍ程の鋼球２を嵌めるための窪み３が設けてあり、その窪みの奥には潤滑油を供給するための細い潤滑油用穴４が穿けてあり、その穴は軸部分５の内部に設けてある潤滑油用の油溜６に連通している。
【実施例２】
【００１３】  図３には軸部を樹脂製にした例を示してある。金属製の罫引玉芯先端部１が図にあるように樹脂製の軸５下部の中心にしっかりと固着され一体化して強度的に問題が無いようにしてある。
【産業上の利用可能性】
【００１４】  以上説明したように、本考案の罫引玉芯を自動罫引き盤にセットして使用すれば、厚紙を傷付けることなく、厚紙表面に高速で自由自在の方向に罫引き溝をつけることができるので、作業の効率化は著しく向上する。また直径の異なった鋼球を持つ罫引玉芯を使用することにより幅の異なる罫引き溝を容易に引くことができる。
【図面の簡単な説明】
【００１５】
【図１】断面図ａとその部分拡大図ｂ
【図２】全体を示す斜視図
【図３】別の実施例を示す先端部のみの断面図
【符号の説明】
【００１６】      １  罫引玉芯先端部
２  鋼球
３  窪み
４  潤滑油用穴
５  軸部分
６  油溜
【図１】
0003132294.tif 000003
【図２】
0003132294.tif 000004
【図３】
0003132294.tif 000005
(57)【要約】      （修正有）【課題】チェーンソーへの取り付けに磁石の磁気作用を用いるので、ヤスリが磁気を帯び、削られた刃の金属紛がヤスリに吸着し、ヤスリが目詰まりする不都合と、ＦＲＰ樹脂製のチェーン案内板には取り付けできない不都合を解消する。【解決手段】チェーンソーのチェーン案内板に掛けたチェーンの切刃の上からかぶせて装着する方式にする。【選択図】図１
0003132232.tif 000002
【実用新案登録請求の範囲】
【請求項１】
チェーンソーのチェーン案内板に掛けたチェーンの切刃の上からかぶせて取り付けて使用することを特徴とする、チェーンソー目立て角度合わせ用具。
【考案の詳細な説明】
【技術分野】
【０００１】本考案は、チェーンソーに取り付けて、チェーンソーの切刃を研ぐ目立て作業の作業機能を向上させる、チェーンソー目立て角度合わせ用具に関するものである。
【背景技術】
【０００２】従来のチェーンソー目立て角度合わせ用具は、磁石の磁気作用により、チェーン案内板に吸着させて取り付けるものだった。
【考案の開示】
【考案が解決しようとする課題】
【０００３】１）  従来のチェーンソー目立て角度合わせ用具は、磁石の磁気作用により、チェーン案内板に吸着させて取り付けるもので、作業中にヤスリが磁気を帯び、削られた刃の金属紛がヤスリに付着し、目詰まりしていた。また、従来のチェーン案内板は金属製だったが、ＦＲＰ樹脂製に変わってきており、磁石の磁気作用では吸着できない。
【課題を解決するための手段】
【０００４】１）  チェーンソーのチェーン案内板に掛けたチェーンの切刃の上からかぶせて取り付けする方式にする。
【考案の効果】
【０００５】１）  従来のチェーンソー目立て角度合わせ用具に比べて、装着方式は、チェーンソーのチェーン案内板に掛けたチェーンの切刃の上からかぶせて装着する方式で、目立て作業時の移動・着脱に便利であり、また、作業中にヤスリが磁気を帯びることはなく、削られた刃の金属粉がヤスリに付着し、目詰まりすることもない。また、ＦＲＰ樹脂製のチェーン案内板でも装着する事ができる。
【考案を実施するための最良の形態】
【０００６】本考案に係るチェーンソー目立て角度合わせ用具は、図１のように本体をチェーンソー刃の上にかぶせて装着できるように装着部３が形成されている。また、装着部の中央に開口部４が形成され、ここにヤスリを差し当てて目立て作業を行う。そしてチェーン案内板に対して垂直にプレート部５が形成されている。プレート部には、作業者が上から見て、ヤスリを当てる角度を正確に合わせるためのガイド線７と、角度を合わせる基点となるチェーンソー刃の刃先を合わせるための中心線８が表示されている。この表示は視認性の良いものが望ましい。本体は、軽量で割れにくい素材を使用し、さらに強度を高めるために、一体成形が望ましい。
【図面の簡単な説明】
【０００７】
【図１】本考案に係るチェーンソー目立て角度合わせ用具の平面図（ａ）、正面図（ｂ）、側面図（ｃ）である。
【図２】本考案に係るチェーンソー目立て角度合わせ用具をチェーンソーのチェーン案内板に取り付けてヤスリで目立てを行う状態を示す平面図である。
【符号の説明】
【０００８】１チェーンソー目立て角度合わせ用具
２チェーンソー刃
３装着部
４開口部
５プレート部
６ヤスリ
７ガイド線
８中心線
【図１】
0003132232.tif 000003
【図２】
0003132232.tif 000004
【手続補正書】
【提出日】平成19年2月27日(2007.2.27)
【手続補正１】
【補正対象書類名】実用新案登録請求の範囲
【補正対象項目名】全文
【補正方法】変更
【補正の内容】
【実用新案登録請求の範囲】
【請求項１】
樹脂製の長方形の薄い板をコの字型に折り曲げた形状の装着部を備え、装着部の内側はチェーンソーの切刃の幅より少し広くなっており、その装着部をチェーンソーのチェーン案内板に掛けたチェーンソーの切刃の上からかぶせた状態で安定して装着されることを特徴とする、チェーンソー目立て角度合わせ用具。
(57)【要約】【課題】畳の部屋の隙間の発生を抑える【解決手段】畳の部屋の隙間は木材のそりによって生じる場合と畳の縮みによって生じる場合がある。ここでは、畳の縮みによる隙間の発生を抑える為、畳の縮みの原因である断熱材フォームをそのまま使用するのではなく、５ｃｍ巾に切断後に縫着し、他の構成品に縮む力が伝わらないようにした。これにより、畳の縮みは最小限となり、部屋に隙間が生じなくなる。【選択図】図１
0003132237.tif 000002
【実用新案登録請求の範囲】
【請求項１】
断熱材であり、畳の芯材であるポリスチレンフォームを巾５ｃｍに切断し、再び成型することにより、断熱性を生かしながら、他の構成品（インシュレーションボードなど）に縮む力を与えず、畳全体の縮みを最小限に抑えた畳
【請求項２】
切断したポリスチレンフォームを再び成型する断面に竹炭、活性炭などの粒状炭を入れることにより、さらに住環境を改善することができる請求項１の畳
【考案の詳細な説明】
【技術分野】
【０００１】本考案は、畳の芯材および畳に関する。
【背景技術】
【０００２】従来の技術では畳の部屋に生じた隙間は、数年に一度の表替時に手直しをして対処してきた。
【考案の開示】
【考案が解決しようとする課題】
【０００３】畳の部屋に生じる隙間は、部屋の木材のそりにより生じる場合と、畳の縮みにより生じる場合があるが、後者が原因の場合は、この考案で解決、改善できる。畳の縮みは縦方向２：横方向１の割合で生じる。これは、畳の構成品の中のポリスチレンフォームが、永年使用することにより縮む為である。本考案は、このポリスチレンフォームの縮む性質を他の構成品に伝えないことで、最終的に畳自体の縮みを防ぐものである。
【課題を解決する為の手段】
【０００４】本考案は、畳の縮みの原因であるポリスチレンフォームを巾５ｃｍに切断する。その上で同じ状態で並べ置き、上下をインシュレーションボードでサンドイッチ状にはさみ、糸間隔６ｃｍで縫着する。２４本の横糸が縦にそれぞれ３０ヶ所以上縫い合わさることにより、切断面は安定する。また、切断面に竹炭、活性炭などの粒状炭を挟みこむことにより、キシミ音なしで炭入畳ができる。
【考案を実施する為の最良の形態】
【０００５】本考案の実施の形態を図面を参照して例をあげながら説明する。〔図１〕はポリスチレンフォーム（２）をインシュレーションボード（１）でサンドイッチ状にはさみ、糸（３）で縫着した畳の断面図である。〔図２〕は〔図１〕が数年経過し縮みが生じた断面である。真ん中のポリスチレンフォームは、明らかに段差となって、縮んでいるが、この縮む力は上下のインシュレーションボードにも縫着されているため伝わり、畳全体にも縮みが生じている。〔図５〕は８畳が敷きこまれた平面図で、隙間が生じる場所をあらわす。〔図３〕は、本考案である、ポリスチレンフォームを巾５ｃｍに切断し、糸でインシュレーションボードと縫着した畳の断面図である。〔図４〕は〔図３〕が数年経過し、ポリスチレンフォームに縮みが発生した断面図であるが、縮みは内部に隙間を生じさせるものの、糸の縫着間隔のほうが大きい為、インシュレーションボードに対し、縮みの力を与えないので、畳の縮みの発生を最小限に抑えることができたことをあらわした図である。〔図６〕は、さらに竹炭、活性炭（５）を切断したポリスチレンフォームの間に入れたものである。
【考案の効果】
【０００６】本考案を利用すれば、畳の部屋に生じる隙間を最小限にし、ゴミやホコリなどがたまる不衛生な環境をなくすことができる。さらに竹炭や活性炭の効果により健康的な住空間を保つことができる。
【図面の簡単な説明】
【０００７】
【図１】インシュレーションボードでポリスチレンフォームをはさみ、糸で縫着した畳の仕上がり断面図である。
【図２】図１のものが数年経過した時点で縮んだ断面図である。
【図３】ポリスチレンフォームを切断した畳の仕上がり断面図である。
【図４】図３のものが数年経過した時点で縮んだ断面図である。
【図５】一般的な敷き方をした８畳間の平面図である。
【図６】ポリスチレンフォームの切断面に竹炭、活性炭を入れたものの断面図である。
【符号の説明】
【０００８】１  インシュレーションボード
２  ポリスチレンフォーム
３  縫着糸
４  縮みによって生じた隙間
５  粒状の竹炭、活性炭
【図１】
0003132237.tif 000003
【図２】
0003132237.tif 000004
【図３】
0003132237.tif 000005
【図４】
0003132237.tif 000006
【図５】
0003132237.tif 000007
【図６】
0003132237.tif 000008
【手続補正書】
【提出日】平成19年2月23日(2007.2.23)
【手続補正１】
【補正対象書類名】実用新案登録請求の範囲
【補正対象項目名】全文
【補正方法】変更
【補正の内容】
【実用新案登録請求の範囲】
【請求項１】
断熱材であり、畳の芯材であるポリスチレンフォームを巾５ｃｍに切断し、再び成型することにより、断熱性を生かしながら、他の構成品に縮む力を与えず、畳全体の縮みを最小限に抑えた畳
【請求項２】
切断したポリスチレンフォームを再び成型する断面に竹炭、活性炭などの粒状炭を入れることにより、さらに住環境を改善することができる請求項１の畳
(57)【要約】      （修正有）【課題】手や足の反射区、及びツボを刺激すると血行がよくなり、手足の冷えの解消になるが、硬くなった靭帯（特に足）を揉みほぐすことも大切である。手足の反射区やツボを刺激、按摩することと、靭帯を揉みほぐすことの両方の機能をもつ手及び足の反射区とツボ刺激道具の提供。【解決手段】プラスチック、及び木といった柔らかい素材と力を伝えるための金属を組み合わせることで、手足の皮膚や骨などに与える影響を少なくした。一対の対向する突起３，５と独立した突起２を指圧部に配置したことで、使用者は自分に適した揉みかたを選択できる。指圧部を長めにすることで、足の指先から基節骨、中足骨付近まで揉むことができる。【選択図】図１
0003132233.tif 000002
【実用新案登録請求の範囲】
【請求項１】
手の指、是の指、手、足の反射区（ツボ）を刺激するための道具で、刺激をするための突起を持つ木製ないしプラスチック製の指圧部と金属製の回転部、握って使用するためのグリップとから構成され、指圧部は突起が二つのものと一つのものがあることを特徴とする反射区（ツボ）刺激具。
【考案の詳細な説明】
【技術分野】
【００１】手や足にある反射区やツボを刺激したり、揉みほぐすための道具の考案
【背景技術】
【００２】棒状の物や突起物を有したクリップ状の物、二本の棒状のものをクロスさせ、挟み込む物などが考案されている。
【考案の開示】
【本件が解決しようとする課題】
【００３】従来の挟み込んで加圧する物は、手の甲と掌、足の甲と足裏では筋肉のつきかたが違うにもかかわらず、みな一様に同じ力が加わり、人体の構造、安全性の上からも問題があった。また、棒状の物では一人で加圧したり、按摩しようとすると、刺激や按摩をする箇所によって無理な姿勢をとらなければならなかった。
【課題を解決する手段】
【００４】使用者が無理のない姿勢で自身の手や足の反射区やツボを刺激したり、按摩しやすくするために、鋏状の形を採用した。正確に刺激、按摩ができるよう、突起物を配置した。また、使用者が加圧の方法や按摩の力を工夫、選択できるよう、独立した突起物と一対の対面した突起物の配置を採用した。
【考案の効果】
【００５】よって、本考案の手及び足の反射区とツボ刺激具により作業がより楽な姿勢で行うことができるようになった。また使用者が、突起物を選ぶことで加圧の仕方や皮膚と突起物との接触などが適正に行われるため、手足の指の反射区やツボを刺激、按摩する際に、よりその効果を得ることができる。
【考案を実施するための最良の形態】
【００６】  本考案に係わる手及び足の反射区とツボ刺激具は図１が示すように右指圧部１には前突起２と後突起３が配置されており、左指圧部には後突起５が配置されている。グリップ７を握ると後突起３と後突起５は互いに接触する位置にあり、前突起２と左指圧部４との間には隙間ができる。前突起２の高さは特に規定はないが、左指圧部４との間は５ｍｍ以上の隙間があること、前突起２と後突起３の距離は内寸で５ｍｍから９ｍｍの範囲であることが望ましい。このことは足の指使用例図４、手の指使用例図６のような使い方をするときに、前突起にかかる力の集中と分散といった使い分けや、指の保護の役割をはたすために有効である。左右の指圧部は足の反射区やツボの他に、指と指との間や、関節の靭帯を揉む図５ことができるよう、６０ｍｍから７０ｍｍの長さがある、１方向からの加圧で刺激する方法図４、図６と上下、左右からはさみこむ方法図５を選ぶことのできる。前突起及び後突起は図２で示すよう、金属とゴムといった異素材、異形状の組み合わせもある。
【図面の簡単な説明】
【００７】
【図１】  手及び足の反射区とツボ刺激具の上面図
【００８】
【図２】  指圧部の突起の形状、素材の組み合わせ例
【００９】
【図３】  本考案に係わる手及び足の反射区とツボ刺激具の立体図
【０１０】
【図４】  足の指での使用例
【０１１】
【図５】  足での使用例
【０１２】
【図６】  手の指での使用例
【符号の説明】
【００１３】１  右指圧部
２  右前突起
３  右後突起
４  左指圧部
５  左後突起
６  回転部
７  グリップ
８  バネ
９  収納ストッパー
１０  異形状金属突起
１１  異素材ゴム突起
【図１】
0003132233.tif 000003
【図２】
0003132233.tif 000004
【図３】
0003132233.tif 000005
【図４】
0003132233.tif 000006
【図５】
0003132233.tif 000007
【図６】
0003132233.tif 000008
【手続補正書】
【提出日】平成19年2月28日(2007.2.28)
【手続補正１】
【補正対象書類名】実用新案登録請求の範囲
【補正対象項目名】全文
【補正方法】変更
【補正の内容】
【実用新案登録請求の範囲】
【請求項１】
手の指、足の指、手、足の反射区やツボを刺激するための道具で、刺激をするための突起を持つ木製ないしプラスチック製の指圧部と金属製の回転部、握って使用するためのグリップとから構成され、指圧部は突起が二つのものと一つのものがあることを特徴とする反射区やツボの刺激具。
(57)【要約】【課題】  従来の刈込鋏を用いて雑草刈り作業をする場合に、切刃を地面に当てて刃を損傷してしまったり、切刃の止め軸のボルト及びナットが地面にこすり付けられて磨耗する不都合と、切刃を損傷しないように地面に対して水平に保って草刈り作業をすると無理な姿勢になり、作業者に負担がかかる不都合を解消すること。【解決手段】  刈込鋏の切刃の止め軸の下側に、金属製の接地安定盤を取り付けることと、刈込鋏の柄を２段階に曲げた毛絵以上にすることにより、この問題を解決する。【選択図】図１
0003132231.tif 000002
【実用新案登録請求の範囲】
【請求項１】
刈込鋏の切刃の止め軸の下に、軸ボルト及びナットの保護を兼ねた、刈込鋏を地面に接地させて草刈り作業ができるようにするための、金属製の接地安定盤の付いた刈込鋏。
【請求項２】
草刈りの作業者が、楽な姿勢で草を根元から切りやすいようにするため、切刃を地面に水平に保つように、柄を２段階に曲げた形の刈込鋏。
【考案の詳細な説明】
【技術分野】
【０００１】本考案は、草刈作業の作業機能を向上させる、接地安定盤付き刈込鋏に関するものである。
【背景技術】
【０００２】従来、雑草刈りを行う場合、草刈鎌を用いることが多いが、特に集団で草刈りを行う場合には、誤って自分や隣の作業者を草刈鎌で傷つけてしまう危険性が高く、草刈鎌の使用は敬遠される傾向にある。そこで、より安全な作業のできる刈込鋏を草刈作業に使う機会が増えてきている。
【考案の開示】
【考案が解決しようとする課題】
【０００３】１）  従来の刈込鋏で草を根元から刈ろうとすると、切刃を地面に当ててしまい、刃を損傷することが多く、また切刃の止め軸のボルトやナットが地面にこすり付けられて磨耗してしまう。
２）  従来の刈込鋏で、切刃を地面に当てないように、切刃を地面に対して水平に保って草刈りをするためには、腰を極端に低くした姿勢で作業しなければならず、作業者の負担になる。
【課題を解決するための手段】
【０００４】１）  切刃の止め軸の下に、軸ボルト及びナットの保護を兼ねた金属製の接地安定盤を取り付ける。
２）  草を根元から切りやすいように、柄を２段階に曲げた形にする。
【考案の効果】
【０００５】１）  接地安定盤を地面に接地させた状態で、地面の上を水平に滑らせるようにして草刈り作業ができ、誤って切刃を地面に当てて刃を損傷することが防げるので、安心して草刈り作業ができる。また、切刃の止め軸の下側のボルトやナットが地面にこすり付けられて磨耗することもない。
２）  柄を２段階に曲げることで、切刃を地面に対して水平に保って草刈りをする場合、従来の刈込鋏を使用するより、柄を把持する位置が地面から高くなるので、腰を極端に低くした姿勢で作業する必要がなく、作業者の負担が大幅に軽減される。
【考案を実施するための最良の形態】
【０００６】本考案に係る接地安定盤付き刈込鋏１は、図１のように切刃の止め軸の下側に、中央部に窪みを持つ椀状の接地安定盤２が装着されている。そして柄は、３の部分で上方向にほぼ９０度の角度に弧を描いた形で曲げられており、そして４の部分で逆方向に曲げられている。
接地安定盤は、図３のように中央部で底の平坦な窪みが形成されており、この窪みの部分に大小の穴がつながった形の穴があけられている。大きいほうの穴５に、刈込鋏の切刃の止め軸のナットを通し、そして横にずらして小さいほうの穴６にボルトが通る状態でナットを締めて固定される。
材質は、錆びにくく、薄い金属板で、長期間地面に接触しても磨耗しない強度のあるもので、一体成型が望ましい。
【図面の簡単な説明】
【０００７】
【図１】本考案に係る接地安定盤付き刈込鋏の断面図である。
【図２】本考案に係る接地安定盤付き刈込鋏の平面図である。
【図３】本考案に係る接地安定盤の断面図である。
【図４】本考案に係る接地安定盤の平面図である。
【符号の説明】
【０００８】１    接地安定盤付き刈込鋏
２    接地安定盤
３    曲げ部１
４    曲げ部２
５    穴大
６    穴小
ａ    ボルト
ｂ    ナット
【図１】
0003132231.tif 000003
【図２】
0003132231.tif 000004
【図３】
0003132231.tif 000005
【図４】
0003132231.tif 000006
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
刈込鋏の切刃の止め軸の下側に取りつけ、草刈り作業中に、止め軸ボルト及びナットが地面にこすり付けられることによる損傷や磨耗からの保護を兼ね、刈込鋏を地面に接地させて草刈り作業が楽にできるようにするために、切刃の止め軸部分の下側を覆う椀状の金属製の接地安定盤を取りつけた刈込鋏。
【請求項２】
草刈り作業をする者が、楽な姿勢で草を根元から切りやすいようにするため、切刃を地面に対して水平に保って草刈り作業できるように、柄を階段状に２段階に曲げた形を特徴とする請求項１記載の刈込鋏。